(57)【要約】【課題】ファクシミリ機能を有する画像処理装置において、公衆回線を介してデータ通信を行う場合に、新たにオプションスロットを占有しない画像処理装置を提供する。【解決手段】公衆回線を使用するファクシミリ機能を備える画像処理装置１００は、公衆回線を使用するデータ通信に用いるデータモデムと、ファクシミリ通信に用いるＦＡＸモデムとを有し、データモデムとＦＡＸモデムとのいずれかを動作させ、公衆回線を介して通信を行うデータ／ＦＡＸ通信部１７０を備える。データ／ＦＡＸ通信部１７０は、着呼時にファクシミリ通信により応答して外部装置から送出される通信識別信号の監視を開始し、通信識別信号を検出すると、前記ＦＡＸモデムからデータモデムに切り替えてデータ通信を行う。【選択図】図１
2017103671.tif 000002
【特許請求の範囲】
【請求項１】
公衆回線を使用するファクシミリ機能を備える画像処理装置であって、
前記公衆回線を使用するデータ通信に用いるデータモデムと、ファクシミリ通信に用いるＦＡＸモデムとを有し、前記データモデムと前記ＦＡＸモデムとのいずれかを動作させ、前記公衆回線を介して通信を行う通信部を備え、
前記通信部は、着呼時に前記ファクシミリ通信により応答して外部装置から送出される通信識別信号の監視を開始し、前記通信識別信号を検出すると、前記ＦＡＸモデムから前記データモデムに切り替えて前記データ通信を行う画像処理装置。
【請求項２】
前記データ通信に関する設定を外部から受け取る入力部と、
前記通信部が参照可能であり、前記入力部から入力された設定を保持するレジスタと、をさらに備え、
前記通信部は、前記レジスタに保持された設定に基づいて、データ通信を実行することを特徴とする請求項１に記載の画像処理装置。
【請求項３】
前記入力部は、前記設定として、外付け電話機の使用有無を受け取り、
前記通信部は、前記レジスタに前記外付け電話機の使用無が設定されている場合、前記発呼動作時に外付け電話端子が使用中であるかを確認しないことを特徴とする請求項２に記載の画像処理装置。
【請求項４】
前記入力部は、前記設定として、外付け電話機の使用有無を受け取り、
前記通信部は、前記レジスタに、前記外付け電話機の使用無が設定されている場合、前記発呼動作時に外付け電話端子を前記公衆回線から切り離した状態にすることを特徴とする請求項２または３に記載の画像処理装置。
【請求項５】
前記入力部は、前記設定として、前記データ通信と前記ファクシミリ通信との優先順を受け取り、
前記通信部は、前記レジスタに、データ通信優先が設定されている場合、データ通信中にファクシミリ通信の要求が生じてもデータ通信を継続することを特徴とする請求項２乃至４のいずれか一項に記載の画像処理装置。
【請求項６】
前記入力部は、前記設定として、データ通信と外付け電話機による通信との優先順を受け取り、
前記通信部は、前記レジスタに、データ通信優先が設定されている場合、データ通信中に前記外付け電話機のオフフックを検出してもデータ通信を継続することを特徴とする請求項２乃至５のいずれか一項に記載の画像処理装置。
【請求項７】
前記通信部が有するモデム機能を実現するコードを記録するメモリと、
外部から前記モデム機能を実現するコードを入力するデータ入力手段と、
前記データ入力手段から入力されたコードを前記メモリに書き込み、前記通信部が前記コードを利用することを制御するコントロール部と、をさらに備え、
前記通信部は、前記メモリに記録されたコードを用いて、データ通信とファクシミリ通信とを切り替えて行うことを特徴とする請求項１乃至６のいずれか一項に記載の画像処理装置。
【請求項８】
前記通信部は、前記データ通信を使用して機器管理情報を前記外部装置と送受信するように構成されていることを特徴とする請求項１乃至７のいずれか一項に記載の画像処理装置。
【請求項９】
公衆回線を使用するファクシミリ機能を備え、前記公衆回線を使用するデータ通信に用いるデータモデムと、ファクシミリ通信に用いるＦＡＸモデムとを有する画像処理装置の通信方法であって、
着呼時に前記ファクシミリ通信により応答して、外部装置から送出される通信識別信号の監視を開始し、
前記通信識別信号を検出すると、前記ＦＡＸモデムから前記データモデムに切り替えて前記データ通信を行う画像処理装置の通信方法。
【請求項１０】
前記データ通信に関する設定を、入力手段を介して外部から受け付け、
受け付けた設定をレジスタに保持し、
レジスタに保持された設定に基づいて、前記データ通信を実行することを特徴とする請求項９に記載の画像処理装置の通信方法。
【発明の詳細な説明】
【技術分野】
【０００１】
本発明は、画像処理装置および画像処理装置の通信方法に関する。
【背景技術】
【０００２】
画像処理装置では、サービスセンター等の管理装置に対して公衆回線を介して通信を行うことにより、管理装置が画像処理装置の機器情報を管理するという技術が既に知られている。
【０００３】
例えば特許文献１には、公衆回線を介してデータ通信を行う目的で、データモデムを備えた機器管理用の通信装置および画像処理装置へ設置された際の構成が開示されている。
しかし、画像処理装置が公衆回線を介してデータ通信を行う場合、画像処理装置は、オプションスロットに専用のオプション（通信装置）を追加しなければならず、オプションスロットが占有されてしまうという問題があった。
【発明の概要】
【発明が解決しようとする課題】
【０００４】
本発明は、ファクシミリ機能を有する画像処理装置において、公衆回線を介してデータ通信を行う場合に、新たにオプションスロットを占有しない画像処理装置を提供することを目的とする。
【課題を解決するための手段】
【０００５】
上述した課題を解決するために、本発明は、公衆回線を使用するファクシミリ機能を備える画像処理装置であって、前記公衆回線を使用するデータ通信に用いるデータモデムと、ファクシミリ通信に用いるＦＡＸモデムとを有し、前記データモデムと前記ＦＡＸモデムとのいずれかを動作させ、前記公衆回線を介して通信を行う通信部を備える。前記通信部は、着呼時に前記ファクシミリ通信により応答して外部装置から送出される通信識別信号の監視を開始し、前記通信識別信号を検出すると、前記ＦＡＸモデムから前記データモデムに切り替えて前記データ通信を行う。
【発明の効果】
【０００６】
本発明によれば、ファクシミリ機能を有する画像処理装置において、公衆回線を介してデータ通信を行う場合に、新たにオプションスロットを占有することなく通信を行うことができる。
【図面の簡単な説明】
【０００７】
【図１】一実施形態の画像処理装置のハードウェア構成例の概略について説明する図である。
【図２】ファクシミリ機能が無く、外部併設機器が設置された画像処理装置のハードウェア構成例の概略について説明する図である。
【図３】図２のデータ通信部の詳細について説明する図である。
【図４】機器管理情報システムについて説明する図である。
【図５】一実施形態のデータ／ＦＡＸ通信部の詳細について説明する図である。
【図６】画像処理装置が備える通信装置の構成例について説明する図である。
【図７】一実施形態のデータ／ＦＡＸ通信部の発呼動作例を表すフローチャートである。
【図８】一実施形態のデータ／ＦＡＸ通信部の着呼動作例を表すフローチャートである。
【発明を実施するための形態】
【０００８】
以下、実施形態について、図面を参照しながら説明する。説明の明確化のため、以下の記載および図面は、適宜、省略または簡略化がなされている。各図面において同一の構成または機能を有する構成要素および相当部分には、同一の符号を付し、その説明は省略する。
上述したように、公衆回線を利用して外部装置と機器管理情報を送受信する装置（例えば、画像処理装置）において、公衆回線を使用する機器が外部併設機器の場合には、データモデムを備えた機器管理用の通信装置を使用している。一実施形態では、公衆回線を使用する機器がファクシミリ機能であり、かつ、機器管理用の通信装置を設置する画像処理装置である場合に、データモデムとＦＡＸモデムとを備えた通信装置を、ファクシミリ機能を実行していた通信装置と入れ替えて装着する。データモデムとＦＡＸモデムとを備えた通信装置は、データ通信とＦＡＸ通信とを切り替えて、公衆回線を使用して通信を行う。
以下に、一実施形態に係る画像処理装置を、図面を用いて説明する。
【０００９】
図１は、一実施形態の画像処理装置（複合機）のハードウェア構成例の概略図である。図１に示す画像処理装置１００は、コピー、ファクシミリ（ＦＡＸ）、スキャナ、プリント等の画像を扱う複合機能を、オペレータや外部のホスト（図示しない）に提供している。
画像処理装置１００は、コントロール部１１０と、エンジン部１４０と、オペレーション・パネル・ユニット（ＯＰＵ）部１４４と、データ／ＦＡＸ通信部１７０と、電力供給ユニット（PSU  :Power  Supply  Unit）１８０とを含む。
【００１０】
コントロール部（制御部、コントローラ）１１０は、中央演算ユニット（ＣＰＵ）１１２と、ＣＰＵ１１２にノース・ブリッジ（ＮＢ）１１４を介して接続される特定用途向け集積回路（ＡＳＩＣ）１２０と、システムメモリ１１６と、ＡＳＩＣ１２０に接続されるローカルメモリ１１８と、ＨＤＤ（ハードディスク）１２２とを含む。
コントロール部１１０は、さらに、ＣＰＵ１１２にサウス・ブリッジ（ＳＢ）１２４を介して接続されるネットワーク・インタフェース・カード（ＮＩＣ）１２６と、ユニバーサル・シリアル・バス・インタフェース（ＵＳＢ）１２８とを含む。
なお、コントロール部１１０は、本実施形態の主制御手段を構成する。
【００１１】
ＮＩＣ１２６は、画像処理装置１００をインターネットやローカル・エリア・ネットワーク（ＬＡＮ）等のネットワークに接続するインタフェースである。
ＵＳＢ１２８は、ＵＳＢ１．ｘ，２．０，３．０などの規格に準拠した入出力インタフェースである。
画像処理装置１００は、ＮＩＣ１２６およびＵＳＢ１２８を介して、ホストからプリント・ジョブ等の実行要求を受信し、これに対応して、画像形成動作を開始することができる。ＮＩＣ１２６およびＵＳＢ１２８は、外部からデータ等を画像処理装置１００に入力するデータ入力手段であるといえる。
【００１２】
ＯＰＵ部（入力部、入出力部、操作部）１４４は、タッチパネルなどの表示装置および入力装置を含み構成され、オペレータからの入力操作を受け付けるとともに、オペレータに向けたメッセージ表示を行う。
エンジン部１４０は、オペレータまたはホストからのジョブの実行要求に対応して、原稿の画像読み取り動作や転写紙への画像形成動作を行う。エンジン部１４０は、ＣＰＵ１４２と、スキャナ・エンジン（図示せず）と、プリンタ・エンジン（図示せず）とを備える。
スキャナ・エンジンは、原稿を光学的に走査してイメージ・データに変換する。
プリンタ・エンジンは、スキャナ・エンジンにより得られたイメージ・データや、データ／ＦＡＸ通信部１７０により受信されたファクシミリ・データや、ＮＩＣ１２６やＵＳＢ１２８により受信されたジョブ・データに従い、電子写真方式やインクジェット方式等の所定の印刷方式で転写部材上に作像する。
【００１３】
データ／ＦＡＸ通信部（通信部）１７０は、データ／ＦＡＸモデム１７２と、回線インタフェース（回線Ｉ／Ｆ）ブロック１７４とを有し、ＡＳＩＣ１２０を介してＣＰＵ１１２によって制御される。
データ／ＦＡＸモデム１７２は、データ（例えば、機器管理情報）を送受信するデータモデム機能と、画情報およびプロトコルの送受信を行うＦＡＸモデム機能とを有する。データ／ＦＡＸモデム１７２は、データモデムを用いるデータ通信と、ＦＡＸモデムを用いるファクシミリ通信（ＦＡＸモデム通信）とを切り替えて実行するように構成される。データ通信は、例えば機器管理情報の送受信に用いる。
回線Ｉ／Ｆブロック１７４は、公衆回線（電話回線）とのインタフェースである。
なお、データ／ＦＡＸ通信部１７０については、図５を参照して後述する。
【００１４】
電力供給ユニット１８０は、例えば電源プラグ１８２によりオフィスのアウトレットに電気的に接続されて、コントロール部１１０、エンジン部１４０、ＯＰＵ部１４４およびデータ／ＦＡＸ通信部１７０へ電力を供給している。
【００１５】
ここで、一実施形態の画像処理装置１００が有するデータ／ＦＡＸ通信部１７０の詳細を説明する前に、外部併設機器が設置された画像処理装置について説明する。
図２は、ファクシミリ機能が無く、公衆回線を利用する外部併設機器が設置された画像処理装置のハードウェア構成例の概略図であり、従来の複合機の一例を示す。
図２の画像処理装置１００ｐでは、図１においてデータ／ＦＡＸ通信部１７０で実現する機器管理情報を送受信するデータ通信を、データ通信部１５０で実現する。他の構成要素は、図１と同様である。
【００１６】
図３は、データ通信部の詳細を示す図である。
データ通信部１５０は、ＡＳＩＣ１２０を介してＣＰＵ１１２によって制御され、データモデム１５２と、回線インタフェース（回線Ｉ／Ｆ）ブロック１５４とからなる。
データモデム１５２は、機器管理情報やプロトコル信号の変復調、ＤＴＭＦ（Dual-Tone  Multi-Frequency）信号であるＩＤトーン検出、および回線Ｉ／Ｆブロック１５４の入出力制御を行う。
回線Ｉ／Ｆブロック１５４は、ＳｉＤＡＡ（ＳＳＤ）５０２、ＳｉＤＡＡ（ＬＳＤ）５０４および１次側通信回路５０６から構成される網制御装置と、オフフック検出部５０８と、切替部（スイッチ）５１０と、直流供給回路５１２とからなる。
網制御装置は、回線の呼出信号を検出したり、回線からの信号をモデムに伝達する。
オフフック検出部５０８は、外部併設機器のオフフックを検出する。
切替部５１０は、外部併設機器を回線から切り離す。
直流供給回路５１２は、外部併設機器が回線から切り離されている場合に外部併設機器に直流電圧を供給し、オフフックを検出する。
【００１７】
図４は、機器管理情報システムについて説明する図である。
図４を基に画像処理装置（画像形成機器）１０が機器管理情報をセンターシステム（外部装置）５０と送受信するときの概略動作を説明する。ここでは、画像処理装置１００が図３のデータ通信部１５０を備える場合の動作例を説明する。
＜データ通信部から接続起動する場合＞
画像処理装置１０は、ダイヤルアップ接続を行うために公衆回線２０を介してアクセスポイント３０への発呼を行い、アクセスポイント３０からＩｎｔｅｒＮｅｔ４０を介してセンターシステム５０のＧａｔｅＷａｙ５１と接続し、機器管理情報の送受信を行う。
【００１８】
＜センターシステムから接続起動する場合＞
センターシステム５０は、センターシステム５０内のＣａｌｌＣｅｎｔｅｒ（コールセンター）５２から画像処理装置１０（具体的には、データ通信部１５０）に対して発呼を行い、ＩＤトーン（ＤＴＭＦ信号）を送出する。
ＩＤトーン（ＤＴＭＦ信号）は、センターシステム５０などの外部装置からの通信を判別する通信識別信号（通信識別情報）の一例である。画像処理装置１０は、センターシステム５０の通信識別信号を予め取得し、保持している。
データ通信部１５０は、センターシステム５０から送出されたＩＤトーン検出すると、モデム（Ｖ．２２ｂｉｓ）のネゴシエーションを開始する。
ネゴシエーションが成功すると、画像処理装置１０（データ通信部１５０）は一旦回線を切断する。
回線切断後、データ通信部１５０は、アクセスポイント３０に対してダイヤルアップＩＰ（Internet  Protocol）接続を行い、ＧａｔｅＷａｙ５１との通信を行う。これをコールバックという。
【００１９】
以上が概略動作であり、画像処理装置１０は、外部併設機器が有る場合と無い場合でデータ通信部１５０の一部動作が異なるため、以下に動作例の詳細を説明する。
【００２０】
＜専用接続動作：外部併設機器が無い場合＞
（待機状態）
・画像処理装置１０は、外部併設機器端子にファクシミリ装置を接続してもファクシミリを使用できない。
（発呼動作）
・通信開始時にダイヤルアップ接続が確立されていなかった場合には、データ通信部１５０は、直ぐにダイヤルアップのための発呼を行う。
（着呼動作）
・呼び出し信号（リンギング）に対してデータ通信部１５０が応答（オフフック）する。
・データ通信部１５０は、応答後ＩＤトーンの監視を行う。
・ＩＤトーンを検出した場合には、データ通信部１５０は、ＩＤトーンの終了を待って、コールセンター５２とデータ通信を開始する。
（コールバック）
・データ通信部１５０は、ＣａｌｌＣｅｎｔｅｒ５２とのデータ通信が完了し回線切断後、直ぐにコールバックを開始する。
【００２１】
＜共有接続動作：外部併設機器が有る場合＞
（待機状態）
・画像処理装置１０は、外部併設機器端子にファクシミリ装置を接続し、ファクシミリの送受信が可能である。
（発呼動作）
・通信開始時にダイヤルアップ接続が確立されていなかった場合には、データ通信部１５０は、回線共有しているファクシミリ装置が使用中（オフフック中）ではないかを確認する。
・ファクシミリ装置が使用中でない場合には、データ通信部１５０は、ファクシミリ端子を回線から切り離し、ダイヤルアップのための発呼を行う。
・ファクシミリ装置が使用中であった場合には、データ通信部１５０は、そのタイミングでは発呼を行わない（実行中のファクシミリ通信を優先させる）。
【００２２】
（着呼動作）
・呼び出し信号（リンギング）到来時は、ファクシミリ装置が応答（オフフック）する。
・データ通信部１５０は、回線共有しているファクシミリ装置のオフフックを検出すると、ＩＤトーンの監視を開始する。
・ＩＤトーンを検出した場合には、データ通信部１５０は、ファクシミリ装置を回線から切り離し、コールセンター５２とデータ通信を開始する。
【００２３】
（コールバック）
・データ通信部１５０は、コールセンター５２とのデータ通信が完了し回線切断後、６５秒後にコールバックを開始する。６５秒待つのは、回線共有しているファクシミリ装置の応答終了（オンフック）を待つためである。
（データ通信部が通信中のファクシミリ送信）
・データ通信部１５０での通信は中断し、ファクシミリ送信を優先させる。
以上が、データ通信部１５０を備える画像処理装置１０（画像処理装置１００ｐも同様）における動作例である。
【００２４】
次に、図１に示す本実施形態のデータ／ＦＡＸ通信部１７０の詳細を説明する。
図５は、データ／ＦＡＸ通信部１７０の詳細を示す図である。
データ／ＦＡＸモデム１７２は、機器管理情報、画情報やプロトコル信号の変復調、ＤＴＭＦ信号であるＩＤトーン検出、および回線Ｉ／Ｆブロック１７４の入出力制御を行う。
回線インタフェースブロック１７４は、ＳｉＤＡＡ（ＳＳＤ）７０２、ＳｉＤＡＡ（ＬＳＤ）７０４および１次側通信回路７０６から構成される網制御装置、オフフック検出部７０８、切替部（スイッチ）７１０、スピーカ駆動回路７１２、極性判定検出部７１６、外付ＴＥＬ鳴動回路７１８およびＤＴＭＦレシーバ７２０からなる。
網制御装置は、回線の呼出信号を検出したり、回線からの信号をデータ／ＦＡＸモデム１７２に伝達する。
オフフック検出部７０８は、外付け電話機のオフフックを検出する。
切替部（スイッチ）７１０は、外付け電話機を回線から切り離す。
スピーカ駆動回路７１２は、回線モニター等の際、ＳｉＤＡＡ（ＳＳＤ）７０２により制御されてスピーカ７１４を鳴動させる。
極性判定検出部７１６は、回線の極性反転や呼出信号等を検出する。
外付ＴＥＬ鳴動回路７１８は、外付け電話機が回線から切り離されている場合に外付け電話機に電圧を供給し、オフフックを検出したり、擬似的な呼出信号を発生して電話機を鳴動させる。
ＤＴＭＦレシーバ７２０は、外付け電話機からのＤＴＭＦ信号を検出する。
外付ＴＥＬ鳴動回路７１８とＤＴＭＦレシーバ７２０とは、図３の直流供給回路５１２と同様の機能を有する。
【００２５】
図６を基に画像処理装置が備える通信装置（通信部）の構成例を説明する。
本実施形態では機器管理情報用のオプション（通信装置）としてデータモデムタイプとデータ／ＦＡＸモデムタイプの２種を選択することができる。どちらを選択するかは、機器管理を行う画像処理装置および公衆回線を使用する外部併設機器の形態に応じて決定する。
機器管理を行う画像処理装置にファクシミリ機能が無い場合は（Ｓ１１、Ｎｏ）、データモデムタイプのオプションを使用する。その際、外部併設機器の有無に従って（Ｓ１３）、先に説明した専用接続動作（Ｓ１５）、および共有接続動作（Ｓ１７）を行う。
機器管理を行う画像処理装置にファクシミリ機能が有る場合は（Ｓ１１、Ｙｅｓ）、データ／ＦＡＸモデムタイプのオプションを使用する（Ｓ１９）。このとき元々あったファクシミリ機能のオプションの代わりにデータ／ＦＡＸモデムタイプのオプションを設置する。そのためオプションスロットの空きを減らすことが無い。
【００２６】
次に、機器管理情報システムにおける本実施形態のデータ通信の動作例を説明する。図７は、データ／ＦＡＸ通信部の発呼動作例を表すフローチャートである。図８は、データ／ＦＡＸ通信部の着呼動作例を表すフローチャートである。なお、機器管理情報システムの動作概略は、図４を参照した説明と同様であり、データ通信部１５０に替えてデータ／ＦＡＸ通信部１７０が動作を行う点が異なるものであるため、説明を省略する。
（待機状態）
・画像処理装置１０は、外付け電話接続端子に外付け電話機を接続し、電話による通信が可能である。
（発呼動作）図７参照
・データ通信開始時にダイヤルアップ接続が確立されていなかった場合には（Ｓ２１、Ｎｏ）、データ／ＦＡＸ通信部１７０は、回線共有している外付け電話機が使用中（オフフック中）ではないかを確認する（Ｓ２３）。ダイヤルアップ接続が確立されている場合には（Ｓ２１、Ｙｅｓ）、データ通信を開始する（Ｓ２９）。
・外付け電話機が使用中でない場合には（Ｓ２３、Ｎｏ）、データ／ＦＡＸ通信部１７０は、外付け電話端子を回線から切り離し（Ｓ２５）、ダイヤルアップのための発呼を行う（Ｓ２７）。ダイヤルアップ接続が確立後、データ通信を開始する（Ｓ２９）。
・外付け電話機が使用中であった場合には（Ｓ２３、Ｙｅｓ）、データ／ＦＡＸ通信部１７０は、そのタイミングでは発呼を行わない（実行中の電話を優先させる）。
【００２７】
（着呼動作）図８参照
・呼び出し信号（リンギング）到来時は、データ／ＦＡＸ通信部１７０が応答（オフフック）する（Ｓ３１）。
・データ／ＦＡＸ通信部１７０は、オフフックしファクシミリ受信動作を開始すると共にＩＤトーンの監視を開始する（Ｓ３３）。
・ＩＤトーンを検出した場合には（Ｓ３５、Ｙｅｓ）、データ／ＦＡＸ通信部１７０は、ファクシミリ受信動作を中止し（Ｓ３７）、ＦＡＸモデムからデータモデムに切換えてコールセンター５２とデータ通信を開始する（Ｓ３９）。
【００２８】
（コールバック）
・データ／ＦＡＸ通信部１７０は、コールセンター５２とのデータ通信が完了し回線切断後、直ぐにコールバックを開始する（Ｓ４１）。
【００２９】
（データ通信中のファクシミリ送信）
・データ通信中にＦＡＸ通信要求が有った場合には、データ／ＦＡＸ通信部１７０は、データ通信を中断し、ファクシミリ送信を優先させる。
（データ通信中の電話）。
・データ通信中に外付け電話機のオフフックが有った場合には、データ／ＦＡＸ通信部１７０は、データ通信を中断し、電話を優先させる。
【００３０】
図７、８を参照して説明した発呼または着呼動作は、一例であり、外部（例えば、オペレータ）からの指示を受け付け、処理の優先順位等を変更することができる。
例えば、画像処理装置１００は、ＯＰＵ１４４により、オペレータからデータ通信に関する設定を受け付け、受け付けた設定に基づいて、データ通信を実施するように構成することができる。例えば、画像処理装置１００は、ＯＰＵ１４４から入力された設定を保持する保持部（レジスタなど）を備える。保持部は、データ／ＦＡＸ通信部１７０（データ／ＦＡＸモデム１７２）が参照可能な記憶領域であり、一例としてデータ／ＦＡＸ通信部１７０（データ／ＦＡＸモデム１７２）内に配置されることが好ましい。また、コントロール部１１０（ＣＰＵ１１２）は、ＯＰＵ１４４から入力されたデータを保持部に保持するように構成される。
このような構成により、データ／ＦＡＸ通信部１７０は、発呼または着呼時にレジスタに保持された設定に基づいて動作することが可能になる。一例として、以下のような設定及び動作変更が可能である。
【００３１】
ＯＰＵ１４４は、データ通信に関する設定として、外付け電話機の使用有無を受け取る。データ／ＦＡＸ通信部１７０は、レジスタに外付け電話機の使用無と保持されている場合、発呼動作時に外付け電話端子が使用中であるかを確認しないで（図７のステップＳ２３をスキップし、ステップＳ２５へ進む）発呼動作を行う。これにより、管理装置への機器管理情報の送信を優先して実施することが可能になる。また、データ／ＦＡＸ通信部１７０は、レジスタに外付け電話機の使用無と保持されている場合、発呼動作時に外付け電話端子を公衆回線から切り離した状態を維持してデータ通信を行う。外付け電話機を実際に公衆回線から切り離すことによって、外付け電話端子からの悪影響（ノイズ等）を減らすことができる。
【００３２】
また、ＯＰＵ１４４は、データ通信に関する設定として、データ通信とファクシミリ通信との優先順を受け取る。データ／ＦＡＸ通信部１７０は、レジスタにデータ通信優先と保持されている場合、データ通信中にファクシミリ通信の要求が生じてもデータ通信を継続する。さらに、データ通信に関する設定として、データ通信と外付け電話機による通信との優先順を受け取る。データ／ＦＡＸ通信部１７０は、レジスタにデータ通信優先と保持されている場合、データ通信中に外付け電話機のオフフックを検出してもデータ通信を継続する。これにより、管理装置への機器管理情報の送信を優先して実施することが可能になる。
【００３３】
上述したデータ通信に関する複数の設定を組み合わせることも可能である。画像処理装置１００が複数の設定を受け付け、レジスタに保持することにより、画像処理装置１００の管理者（オペレータ）は、データ／ＦＡＸ通信部１７０が行うデータ通信の優先度を、状況に応じて変更するができる。
【００３４】
上述した実施形態では、ファクシミリ通信の機能を、データ通信とファクシミリ通信とを切り替えて実行する通信装置として構成することにより、オプションスロットを新たに占有することなく、機器管理情報を送受信する実施形態を説明した。例えば、データ／ＦＡＸ通信部１７０のデータ／ＦＡＸモデム１７２がディジタルシリアルプロセッサ（ＤＳＰ）により構成されている場合、データモデム機能を実現する情報を外部から入力し、ＦＡＸモデム機能に追加してデータ／ＦＡＸモデム１７２を構成することもできる。例えば、ＦＡＸモデム機能のＤＳＰコードが書換え可能なメモリに蓄積されており、ＵＳＢ１２８等の外部入力手段からデータモデム機能のＤＳＰコードを追加する。これにより、物理的な交換が不要となり、利便性が向上するという効果を奏することができる。
【００３５】
一例として、画像処理装置１００は、データモデムとＦＡＸモデムとを実現するコード（ＤＳＰコード）を記録することができる書き換え可能なメモリを、データ／ＦＡＸモデム１７２またはＤＳＰが参照できる場所に配置して構成される。コントロール部１１０のＣＰＵ１１２は、外部からＵＳＢ１２８等のデータ入力手段を介して受信したコードをメモリに書き込み、データ／ＦＡＸモデム１７２の動作を制御する。データ／ＦＡＸモデム１７２は、ＤＳＰがメモリに記録されたコードを用いて、データ通信とファクシミリ通信とを切り替えて実行するように構成される。
【００３６】
さらに、上述した実施形態では、データ通信として、画像処理装置が機器管理情報を管理装置と送受信する場合を説明した。これに限られることなく、図４に示すシステムが適用できる構成であれば、データ通信は機器管理情報以外のデータの送受信に用いることも可能である。
例えば、画像処理装置は、通信識別信号およびこれに対応づけられる情報を予め保持し、通信識別信号が示す外部装置に応じた情報をデータ通信で送信するようにシステムを構成する。また、通信識別信号に外部装置が要求する情報の種類を識別する識別子を加え、一つの外部装置へ異なる種類の情報を送信できるように設定してもよい。
このようなシステム構成により、画像処理装置は、外部装置からの要請（通信識別信号）に応じて、ＦＡＸモデムからデータモデムに切り替えてデータ通信を行うことができる。
【００３７】
以上のように、本発明に係る好適な実施形態によれば、公衆回線を利用するファクシミリ装置を備える画像処理装置は、データモデムとＦＡＸモデムを備える通信装置を、ファクシミリ機能を有する通信装置に替えて装着し、データモデムとＦＡＸモデムとを切り替えて通信を行う。画像処理装置は、例えば公衆回線を介してデータを外部装置と送受信する場合に、データモデムを使用してデータ通信を行う。これにより、画像処理装置はオプションスロットを新たに占有することなく、データ通信を行うことが可能になる。
なお、本発明は上記実施の形態に限られたものではなく、趣旨を逸脱しない範囲で適宜変更することが可能である。
【符号の説明】
【００３８】
１０  画像処理装置
２０  公衆回線
３０  アクセスポイント
４０  ＩｎｔｅｒＮｅｔ
５０  センターシステム
５１  ＧａｔｅＷａｙ
５２  ＣａｌｌＣｅｎｔｅｒ
１００、１００ｐ  画像処理装置
１１０  コントロール部
１１２  中央演算ユニット（ＣＰＵ）
１１４  ノース・ブリッジ（ＮＢ）
１１６  システムメモリ
１１８  ローカルメモリ
１２０  集積回路（ＡＳＩＣ）
１２２  ＨＤＤ
１２４  サウス・ブリッジ（ＳＢ）
１２６  ネットワーク・インタフェース・カード（ＮＩＣ）
１２８  ユニバーサル・シリアル・バス・インタフェース（ＵＳＢ）
１４０  エンジン部
１４４  オペレーション・パネル・ユニット（ＯＰＵ）部
１５０  データ通信部
１５２  データモデム
１５４、１７４  回線インタフェース（回線Ｉ／Ｆ）ブロック
１７０  データ／ＦＡＸ通信部
１７２  データ／ＦＡＸモデム
１８０  電力供給ユニット（ＰＳＵ）
５０２、７０２  ＳｉＤＡＡ（ＳＳＤ）
５０４、７０４  ＳｉＤＡＡ（ＬＳＤ）
５０６、７０６  １次側通信回路
５０８、７０８  オフフック検出部
５１０、７１０  切替部
５１２  直流供給回路
７１２  スピーカ駆動回路
７１４  スピーカ
７１６  極性判定検出部
７１８  外付ＴＥＬ鳴動回路
７２０  ＤＴＭＦレシーバ
【先行技術文献】
【特許文献】
【００３９】
【特許文献１】特許４０７１６９０号公報
【図１】
2017103671.tif 000003
【図２】
2017103671.tif 000004
【図３】
2017103671.tif 000005
【図４】
2017103671.tif 000006
【図５】
2017103671.tif 000007
【図６】
2017103671.tif 000008
【図７】
2017103671.tif 000009
【図８】
2017103671.tif 000010